(57)【要約】  本発明は、音声コンテンツの試聴方法に関するものであり、さらに詳しくは、音声コンテンツを提供するシステムにおいて使用され、複数の音声コンテンツがリスト形式で表示されるステップと、選択ラインに特定の音声コンテンツが位置するように画面をスクロールするステップと、選択ラインに位置する当該音声コンテンツの音声が再生されるステップと、を含む音声コンテンツの試聴方法において、スクロール中に選択ラインが任意に音声コンテンツを通るだけでも当該音声コンテンツの音声が再生されることを特徴とする音声コンテンツの試聴方法に関する。本発明の音声コンテンツの試聴方法は、音声コンテンツを提供するシステムにおいて、画面に表示される音声コンテンツ一覧上の複数の音声コンテンツのうち選択ラインに特定の音声コンテンツが位置するように画面をスクロールするとき、選択ラインが任意に音声コンテンツを通るだけでも当該音声コンテンツの音声を聴き取ることができて、所望の音声コンテンツを検索するための検索時間が画期的に短縮され、その試聴方法が非常に簡便であるという効果がある。
2016527581.tif 000002
【特許請求の範囲】
【請求項１】
音声コンテンツを提供するシステムにおいて使用し、
複数の音声コンテンツがリスト形式で表示されるステップと、
選択ラインに特定の音声コンテンツが位置するように画面をスクロールするステップと、
選択ラインに位置する当該音声コンテンツの音声が再生されるステップと、
を含む音声コンテンツの試聴方法において、スクロール中に選択ラインが任意に音声コンテンツを通るだけでも当該音声コンテンツの音声が再生されることを特徴とする音声コンテンツの試聴方法。
【請求項２】
前記選択ラインに位置する当該音声コンテンツの音声が再生されるステップにおいて、選択ラインが当該音声コンテンツの表示領域の中心部から遠ざかるにつれて音量が減ることを特徴とする請求項１に記載の音声コンテンツの試聴方法。
【請求項３】
前記スクロールするステップにおいて、第１の音声コンテンツの表示領域の中心部と第２の音声コンテンツの表示領域の中心部との間に選択ラインが位置する場合、第１の音声コンテンツ及び第２の音声コンテンツの音声が両方とも再生されることを特徴とする請求項１に記載の音声コンテンツの試聴方法。
【請求項４】
第１の音声コンテンツ及び第２の音声コンテンツの音声が両方とも再生されるが、音声コンテンツの表示領域の中心部が選択ラインにさらに近い個所に位置する音声コンテンツの音声の音量の方がさらに大きいことを特徴とする請求項３に記載の音声コンテンツの試聴方法。
【請求項５】
前記スクロールするステップにおいて、第１の音声コンテンツの表示領域の中心部と第２の音声コンテンツの表示領域の中心部との間に選択ラインが位置する場合、音声コンテンツの表示領域の中心部が選択ラインにさらに近い個所に位置する音声コンテンツの音声が再生されることを特徴とする請求項１に記載の音声コンテンツの試聴方法。
【請求項６】
前記スクロールするステップにおいて、第１の音声コンテンツと第２の音声コンテンツとの間に選択ラインが位置する場合、第１の音声コンテンツ又は第２の音声コンテンツの音声がいずれも再生されないことを特徴とする請求項１に記載の音声コンテンツの試聴方法。
【請求項７】
前記選択ラインは、画面を水平又は垂直に横切る直線、曲線又は斜線であることを特徴とする請求項１に記載の音声コンテンツの試聴方法。
【請求項８】
前記直線、曲線又は斜線は、実線、破線又は一点鎖線であることを特徴とする請求項７に記載の音声コンテンツの試聴方法。
【請求項９】
前記選択ラインは、面積を有する図形であるか、あるいは、中空の外郭線状であることを特徴とする請求項１に記載の音声コンテンツの試聴方法。
【請求項１０】
前記選択ラインは、図形やキャラクタ状であることを特徴とする請求項１に記載の音声コンテンツの試聴方法。
【請求項１１】
前記選択ラインの位置を画面の上においてユーザーが任意に定めるようにしたことを特徴とする請求項９又は請求項１０に記載の音声コンテンツの試聴方法。
【請求項１２】
前記音声コンテンツを提供するシステムは、スマートフォン、タブレットＰＣ、携帯型マルチメディア プレーヤ（ＰＭＰ）、携帯電話をはじめとする移動通信端末、デスクトップパソコン、ラップトップコンピュータ 、ノート型パソコン、スマートテレビ、セットトップボックス、額縁状スマート端末、車両用ナビゲータ、ＩＰ電話端末、身につけられるコンピュータ、ゲーム機、ＣＤ／ＭＰ３プレーヤ、レコード店のＣＤ試聴機械、カラオケ機器、背景音楽再生機器又はジュークボックスであることを特徴とする請求項１に記載の音声コンテンツの試聴方法。
【発明の詳細な説明】
【技術分野】
【０００１】
本発明は、音声コンテンツを提供するシステムにおいて複数の音声コンテンツを速やかに且つ手軽に試聴する方法に関する。
【背景技術】
【０００２】
オンライン音楽販売サイトや、音声販売サイト、レコード店のＣＤ試聴システムなど、オンラインやオフラインを問わずに多数の音声コンテンツうちから所望のコンテンツを選択する場合がある。従来の場合には、それぞれの音声コンテンツの情報（名称、作者、演奏者、製作社、製作年度、値段、写真など）を画面の上に列挙し、追加的にそれぞれの音声コンテンツに対する試聴ボタンを設けて、ユーザーは、それぞれの音声コンテンツの情報を視認すると共に、試聴ボタンを一々にクリックして音声を再生して聴覚的な確認をしていた。
【０００３】
例えば、オンライン音楽販売サイトにおいて、新曲リスト、販売量によるランキング、あるいは、歌手名／曲名のキーワード検索結果などにより複数の曲がリストとして表示され、ユーザーは、リスト上のテキスト情報を通して、又は、試聴ボタンをクリックして試聴用音声データを再生することにより内容を確認する。
ネットワークに接続されていないシステムの例としては、レコード店のＣＤ試聴システムが挙げられるが、複数のＣＤの説明文及び各トラックの曲情報を機器の上に表示し、ユーザーは、ボタンを操作してＣＤを入れ替えたり、特定のトラックを再生したりすることにより、所望の曲の内容を聞いて確認することができる。
【０００４】
このように複数の曲の試聴ボタンを押下する操作を行うために、ユーザーは、煩雑な多くの動作を行うことを余儀なくされ、しかも、長時間がかかるという問題がある。
一つの音声コンテンツを試聴再生している間に、他の音声コンテンツを試聴再生しようとする場合には、現在再生中のコンテンツが自動的に止まる場合もあれば、場合によって、再生中の音声コンテンツの停止ボタンを押下しなければならない場合もある。このような場合には、ユーザーに不便さを与えてしまう。
この理由から、音声コンテンツを提供するシステムにおいて、複数の音声コンテンツのうちから所望の音声コンテンツをより速やかに検索して選択できるようにする便利な試聴方法が望まれるのがが現状である。
【発明の概要】
【発明が解決しようとする課題】
【０００５】
上記の従来の技術の問題を解消するために、本発明の目的は、音声コンテンツを提供するシステムにおいて、複数の音声コンテンツのうち所望の音声コンテンツをより速やかに選択可能にする便利な試聴方法を提供することである。
【課題を解決するための手段】
【０００６】
上記の目的を達成するために、本発明は、音声コンテンツの試聴方法に関するものであり、さらに詳しくは、音声コンテンツを提供するシステムにおいて使用され、複数の音声コンテンツがリスト形式で表示されるステップと、選択ラインに特定の音声コンテンツが位置するように画面をスクロールするステップと、選択ラインに位置する当該音声コンテンツの音声が再生されるステップと、を含む音声コンテンツの試聴方法において、スクロール中に選択ラインが任意に音声コンテンツを通るだけでも当該音声コンテンツの音声が再生されることを特徴とする音声コンテンツの試聴方法を提供する。
【発明の効果】
【０００７】
本発明の音声コンテンツの試聴方法は、音声コンテンツを提供するシステムにおいて、画面に表示される音声コンテンツ一覧上の複数の音声コンテンツのうち選択ラインに特定の音声コンテンツが位置するように画面をスクロールするとき、選択ラインが任意に音声コンテンツを通るだけでも当該音声コンテンツの音声を聴き取ることができて、所望の音声コンテンツを検索するための検索時間が画期的に短縮され、その試聴方法が非常に簡便であるという効果がある。
【図面の簡単な説明】
【０００８】
【図１】図１は、オンライン音楽販売サイトの一つであるＯＯＯミュージックストアの検索ウィンドウＳにｐｓｙを入力した後に表示される複数の音声コンテンツ１００−１〜１００−ｎを含む音声コンテンツ一覧１０を示す図である。
【図２】図２は、図１の音声コンテンツ一覧１０のうち１番の音声コンテンツ１００−１である「江南スタイル」の試聴アイコン１、 をクリックして「江南スタイル」音声が再生されることを示す図である。
【図３】図３は、本発明において、音声コンテンツ一覧１０上の複数の音声コンテンツ１００−１〜１００−ｎの音声が試聴再生可能な状態にあり、スクロールバー１２０を移動させて選択ライン１１０が最初の音声コンテンツ１００−１の表示領域Ａに位置する場合、最初の音声コンテンツ１００−１の音声が直ちに自動的に再生されることを示す図である。
【図４】図４は、図３において、選択ライン１１０が三番目の音声コンテンツ１００−３の表示領域の中心部と四番目の音声コンテンツ１００−４の表示領域の中心部との間に位置する場合、三番目の音声コンテンツ１００−３の音声及び四番目の音声コンテンツ１００−４の音声が同時に再生されることを示す図である。
【図５】図５は、スマートフォンにおいて、音声コンテンツ一覧１０上の複数の音声コンテンツ１００−１〜１００−ｎの音声が試聴再生可能な状態にあり、タッチで画面１３０をスライドして選択ライン１１０が最初の音声コンテンツ１００−１及び二番目の音声コンテンツ１００−２を経て三番目の音声コンテンツ１００−３の表示領域に位置する場合、最初の音声コンテンツ及び二番目の音声コンテンツの表示領域を通る間には当該コンテンツの音声が再生された後に現在には三番目の音声コンテンツの音声が自動的に再生されることを示す図である。
【図６】図６は、図５において、選択ライン１１０が三番目の音声コンテンツ１００−３の表示領域の中心部と四番目の音声コンテンツ１００−４の表示領域の中心部との間に位置する場合、三番目の音声コンテンツ１００−３の音声及び四番目の音声コンテンツ１００−４の音声が同時に再生されることを示す図である。
【図７】図７は、選択ライン１１０が最初の音声コンテンツ１００−１に位置して音声が再生されるとき、選択ラインがスクロールにより当該音声コンテンツの表示領域Ａの様々な位置ａ１、ａ２、ａ３などに位置することを示す図である。
【符号の説明】
【０００９】
１：試聴アイコン
１０：音声コンテンツ一覧
１００−１〜１００−ｎ：音声コンテンツ
Ａ：音声コンテンツの表示領域
１１０：選択ライン
１２０：スクロールバー
１３０：画面
【発明を実施するための形態】
【００１０】
本発明は、音声コンテンツの試聴方法に関するものであり、さらに詳しくは、音声コンテンツを提供するシステムにおいて使用され、複数の音声コンテンツがリスト形式で表示されるステップと、選択ラインに特定の音声コンテンツが位置するように画面をスクロールするステップと、選択ラインに位置する当該音声コンテンツの音声が再生されるステップと、を含む音声コンテンツの試聴方法において、スクロール中に選択ラインが任意に音声コンテンツを通るだけでも当該音声コンテンツの音声が再生されることを特徴とする音声コンテンツの試聴方法に関する。
【００１１】
本発明において、音声コンテンツを提供するシステムにおいて使用され、複数の音声コンテンツをリスト形式で表示するステップは、オンライン音楽販売サイトや、音声販売サイト、レコード店のＣＤ試聴システムなどオンラインやオフラインを問わずに音声コンテンツを提供するシステムにおいて、複数の音声コンテンツがリスト形式で表示されることを意味する。
【００１２】
例えば、オンライン音楽販売サイトにおいて、新曲リスト、販売量によるランキング、あるいは、歌手名／曲名のキーワード検索結果などにより複数の曲がリストとして表示されることを意味する。
【００１３】
また、音声データをファイルの形式で有無線ネットワークを介してダウンロードする方式の場合には、音声コンテンツがリストとして表示されるとき、リスト上の音声コンテンツの音声ファイルの全部又は一部がダウンロードされた状態であるか、あるいは、少なくともダウンロード中である。換言すれば、リストの上において画面に表示される複数の音声コンテンツの全部又は一部の試聴用音声ファイルがダウンされた状態であるか、あるいは、少なくともダウンロード中である。あるいは、複数の音声コンテンツの音声ファイルの全部又は一部が直ちに再生可能な程度に全体の再生時間のうちの最初の一部の部分のみダウンロードされた状態であってもよく、当該ファイルの再生が開始された後に、必要に応じて、残りの部分をダウンロードしてもよい。
【００１４】
例えば、もし、リストの上に合計で２０個の音声コンテンツが含まれており、各音声コンテンツの合計の再生時間が１分であり、音声ファイルの大きさが約１メガバイトであるとしたとき、２０個の音声ファイルが全てダウンロードされた状態であってもよく、又は、１０個の音声ファイルはダウンロードされた状態であり、且つ、残りの１０個はダウンロード中であってもよい。あるいは、２０個の音声ファイルがそれぞれ別々に直ちに再生可能な程度に一部（例えば、最初の６秒間の音声、約１００キロバイト）のみダウンロードされた状態であってもよく、当該ファイルの再生が開始された後に残りの容量（約９００キロバイト）に対して追加的にダウンロードされてもよい。
【００１５】
ネットワークに接続されていないシステムの例としてのレコード店のＣＤ試聴システムにおいて、複数のＣＤの説明文及び各トラックの曲の情報を機器の上に表示することを意味する。
【００１６】
前記音声コンテンツを提供するシステムは、スマートフォン、タブレットＰＣ、携帯型マルチメディア プレーヤ（ＰＭＰ）、携帯電話をはじめとする移動通信端末、デスクトップパソコン、ラップトップコンピュータ、ノート型パソコン、スマートテレビ、セットトップボックス、額縁状スマート端末、車両用ナビゲータ、ＩＰ電話端末、身につけられるコンピュータ、ゲーム機、ＣＤ／ＭＰ３プレーヤ、レコード店のＣＤ試聴機械、カラオケ機器、背景音楽再生機器又はジュークボックスであってもよいが、これらに何ら限定されるものではなく、音声コンテンツが提供可能なシステムであれば、制限無しに適用可能である。
【００１７】
また、音声コンテンツと関連する各種の情報、すなわち、音声に加えて、曲名、歌手名、収録アルバム名、歌手の写真、アルバムの表紙、再生時間、値段、顧客人気度など当該音声と関連する各種の情報が一緒に表示されてもよい。
【００１８】
本発明において、選択ラインに特定の音声コンテンツが位置するように画面をスクロールするステップは、画面の表示位置を上下又は左右に移動させて、選択ラインに特定の音声コンテンツを位置させるステップである。
【００１９】
画面の表示位置を上下又は左右に移動させる方法としては、公知のスクロール方法が採用可能である。例えば、マウスでスクロールバーをドラッグしたり、キーボードの上下左右のボタンを押下したりすることにより、あるいは、マウスホイールを上下に回したり、マウスホイールボタンを押下してカーソルの位置を移動させたりすることにより、上下又は左右にスクロールすることができる。また、ジョイスティックを上下左右に曲げたり、十字ボタンを押下したり、リモーコン型コントローラーを用いて画面の特定の部分にカーソルを置いてボタンを押下した状態でドラッグしたり、タッチで画面をスライドして上下又は左右にスクロールしたりすることができる。あるいは、ステータスバーを押下してスクロール位置を最上部に移動させてもよく、画面を片側に傾ける方法を用いて上下又は左右にスクロールしてもよい。あるいは、眼鏡型コンピュータの場合、ユーザーのジェスチャにより、例えば、手を振る動作により、瞬きをするなどの表情の変化により、脳波により、又は、息を吹き込んだり飲み込んだりするなどにより上下又は左右にスクロールしてもよい。
【００２０】
前記選択ラインは、画面を水平又は垂直に横切る直線、曲線、斜線などの線であってもよく、線の種類は、実線、破線、一点鎖線などであってもよい。あるいは、選択ラインは、不透明であってもよく、半透明であってもよく、透明度がばらついてもよく、面積を有する図形であってもよく、中空の実線、破線、一点鎖線などの外郭線状であってもよい。あるいは、選択ラインは、矢印、 などの各種の図形やキャラクタ形状であってもよく、この場合、画面を水平又は垂直に横切る代わりに、特定の位置に選択ラインの位置が固定されるようにしてもよい。
【００２１】
あるいは、前記選択ラインの位置は、画面の上においてユーザーが任意に定めるように設定してもよい。
【００２２】
また、音声コンテンツ一覧上の音声コンテンツが画面の上において上下又は左右の方向に並べられるわけではなく、ランダムに並べられる場合、画面の表示位置を左右及び上下に移動させて音声コンテンツの音声が自動的に再生されるようにしてもよい。
【００２３】
本発明において、選択ラインに位置する当該音声コンテンツの音声が再生されるステップは、スクロールにより選択ラインに位置する音声コンテンツの音声が直ちに再生されて、ユーザーが当該音声を聴き取るようにするステップである。
【００２４】
このとき、選択ラインに位置する当該音声コンテンツの音声が再生されるとき、一定の音量になるようにしてもよく、あるいは、当該音声コンテンツの表示領域の中心部が選択ラインから遠ざかるにつれて、すなわち、選択ラインが当該音声コンテンツの上下の先端部又は左右の先端部に近付くにつれて音量が減るようにしてもよい。
【００２５】
一方、前記選択ラインに特定の音声コンテンツが位置するようにスクロールするステップにおいて、選択ラインが音声コンテンツ（「第１の音声コンテンツ」と称する。）の表示領域の中心部と音声コンテンツ（「第２の音声コンテンツ」と称する。）の表示領域の中心部との間に位置する場合には、第１の音声コンテンツ及び第２の音声コンテンツの音声が両方とも再生されるようにしてもよい。この場合、第１の音声コンテンツ及び第２の音声コンテンツの音声が両方とも再生されるが、その表示領域の中心部が選択ラインにさらに近い個所に位置する音声の音量をさらに大きくしてもよい。
【００２６】
あるいは、前記選択ラインに特定の音声コンテンツが位置するようにスクロールするステップにおいて、選択ラインが第１の音声コンテンツの表示領域の中心部と第２の音声コンテンツの表示領域の中心部との間に位置する場合、その表示領域の中心部が選択ラインにさらに近い個所に位置する音声コンテンツの音声が再生されるようにしてもよい。
【００２７】
あるいは、前記選択ラインに特定の音声コンテンツが位置するようにスクロールするステップにおいて、選択ラインが第１の音声コンテンツ及び第２の音声コンテンツとの間に位置する場合、第１の音声コンテンツ又は第２の音声コンテンツの音声がいずれも再生されないようにしてもよい。
【００２８】
以下、本発明の音声コンテンツの試聴方法を実施形態及び図面と結び付けて具体的に説明する。但し、以下の実施形態及び図面は本発明の内容を詳細に説明するためのものに過ぎず、本発明の権利範囲を実施形態に限定しようとするものではないため、本発明の権利範囲は、特許請求の範囲の記載の通りに判断されるべきである。
【００２９】
オンラインやオフラインを問わずに音声コンテンツを提供するシステムにおいて使用され、複数の音声コンテンツがリスト形式で表示される。このとき、画面を水平又は垂直に横切る破線の選択ラインが一緒に表示される。
【００３０】
ユーザーは、キーボードやマウスを用いて垂直スクロールバーを上下に移動させると、音声コンテンツ一覧上の複数の音声コンテンツが上下に移動され、これにより、選択ラインに位置する音声コンテンツが変更され、選択ラインに位置する音声コンテンツの試聴音声は自動的に再生される。
【００３１】
これについて、図面と結び付けてより具体的に説明すれば、図３は、本発明において、音声コンテンツ一覧１０上の複数の音声コンテンツ１００−１〜１００−ｎが表示された状態で、マウスを用いてスクロールバー１２０を移動させて選択ライン１１０が最初の音声コンテンツ１００−１の表示領域Ａに位置する場合、最初の音声コンテンツ１００−１の音声が別途のクリックやタッチなしにも自動的に再生されることを示す図である。
【００３２】
一方、図４は、図３において、選択ラインが三番目の音声コンテンツ１００−３の表示領域の中心部と四番目の音声コンテンツ１００−４の表示領域の中心部との間に位置する場合を示すものであって、この場合、三番目の音声コンテンツ１００−３の音声及び四番目の音声コンテンツ１００−４の音声が同時に自動的に再生される。
【００３３】
また、図５は、スマートフォンにおいて、音声コンテンツ一覧１０上の複数の音声コンテンツ１００−１〜１００−ｎの音声が試聴再生可能な状態にあり、タッチで画面１３０をスライドして選択ライン１１０が最初の音声コンテンツ１００−１及び二番目の音声コンテンツ１００−２を経て三番目の音声コンテンツ１００−３に位置する場合、選択ライン１１０が最初の音声コンテンツ及び二番目の音声コンテンツの表示領域を通る間には別途のクリックやタッチなしに当該コンテンツの音声を再生した後、現在には三番目の音声コンテンツ１００−３の音声が再生されることを示す図である。
【００３４】
一方、図６は、図５において、選択ラインが三番目の音声コンテンツ１００−３の表示領域の中心部と四番目の音声コンテンツ１００−４の表示領域の中心部との間に位置する場合を示すものであり、この場合、三番目の音声コンテンツ１００−３の音声及び四番目の音声コンテンツ１００−４の音声が同時に自動的に再生される。
【００３５】
また、図７は、選択ライン１１０が最初の音声コンテンツ１００−１に位置して音声が再生されるとき、選択ラインがスクロールにより当該音声コンテンツの表示領域Ａが様々な位置にあり得ることを示す図であり、具体的には、スクロール（下方）により選択ライン１１０の位置が表示領域Ａにおいてａ１からａ２、ａ３の順に下部に移動する様子を示す。本発明の一実施形態においては、選択ライン１１０が表示領域の中心部ａ２から遠ざかるにつれて音量が小さくなる。換言すれば、選択ライン１１０が中心部ａ２に位置する場合に比べて、上端部ａ１又は下端部ａ３に位置する場合にその音量がさらに小さい。また、中心部ａ２から上端部ａ１又は下端部ａ３に進むにつれて音量が次第に小さくなる。
【００３６】
したがって、ユーザーが画面をスクロールするとき、選択ラインが任意に音声コンテンツを通るだけでも当該音声コンテンツの音声を聴き取ることができて、所望の音声コンテンツを検索するための検索時間が画期的に短縮され、その試聴方法が非常に簡便であるという効果がある。
【図３】
2016527581.tif 000003
【図４】
2016527581.tif 000004
【図５】
2016527581.tif 000005
【図６】
2016527581.tif 000006
【図７】
2016527581.tif 000007
【図１】
2016527581.tif 000008
【図２】
2016527581.tif 000009
【国際調査報告】
2016527581.tif 000010
2016527581.tif 000011
2016527581.tif 000012
2016527581.tif 000013